(57)【要約】【課題】オペレータに効率よくトレーニングをさせることができるとともに、トレーニングとして発行されたラベルが破棄されるべきラベルであることを一見して確実に認識することができるラベルプリンタを提供する。【解決手段】ラベルに商品情報を印字するラベルプリンタであって、トレーニング用の前記ラベルを発行するトレーニングモードを選択する選択手段と、前記トレーニングモードで発行された前記ラベルであることを示す印を商品情報と重ならない位置に印字させる制御手段とを備える。【選択図】図１
2014136374.tif 000002
【特許請求の範囲】
【請求項１】
ラベルに商品情報を印字するラベルプリンタであって、
トレーニング用の前記ラベルを発行するトレーニングモードを選択する選択手段と、
前記トレーニングモードで発行された前記ラベルであることを示す印を商品情報と重ならない位置に印字させる制御手段と
を備えることを特徴とするラベルプリンタ。
【請求項２】
前記制御手段は、前記トレーニングモードで発行された前記ラベルであることを示す前記印を前記商品情報に含まれる商品の識別情報であるバーコードと重ならない位置に印字させる
ことを特徴とする請求項１に記載のラベルプリンタ。
【請求項３】
前記制御手段は、前記トレーニングモードにおいて、前記印を前記ラベルの隅部に印字させる
ことを特徴とする請求項１または請求項２に記載のラベルプリンタ。
【請求項４】
ラベルに商品情報を印字するラベルプリンタであって、
トレーニング用の印字フォーマットにおいて、前記トレーニング用の前記ラベルであることを示す印の印字領域と、前記商品情報を印字するための印字領域とが重なる場合、前記商品情報を印字するための印字領域を優先して印字させる制御手段
を備えることを特徴とするラベルプリンタ。
【発明の詳細な説明】
【技術分野】
【０００１】
本発明は、ラベルプリンタに関する。
【背景技術】
【０００２】
オペレータからの入力に基づいて、商品の値段（例えば、単価、販売価格）などを媒体（ラベル用媒体）に印字し、ラベルを発行するラベルプリンタが知られている（例えば特許文献１参照）。
【０００３】
ところで、ラベルプリンタの操作をオペレータに習得させるために、実際に、オペレータにラベルプリンタを操作させてトレーニングを行う場合がある。トレーニングにおいては、オペレータの操作を確認するために、所定のテスト用データを印字したラベル（テスト印字のラベル）とは異なり、オペレータの操作に応じた実データ（操作によって入力された値段等）を印字したラベルを発行する必要がある。また、トレーニングとして発行されたラベル（トレーニング用のラベル）は、テスト印字のラベルと同様、店頭（売場）に陳列される商品に誤って貼付されないように、確実に破棄する必要がある。
【先行技術文献】
【特許文献】
【０００４】
【特許文献１】特開昭６１−２７２１７６号公報
【発明の概要】
【発明が解決しようとする課題】
【０００５】
しかしながら、トレーニング用のラベルには、上述の如く実データが印字されているので、テスト印字のラベルとは異なり、実際に商品に貼付されるべきラベル（本番用のラベル）と一見して区別し難く、発行後に破棄されずに、店頭に陳列される商品に誤って貼付される虞がある。加えて、トレーニング用のラベルを貼付してしまった商品が陳列されると、お客は、当該ラベルがトレーニング用のラベルであることを知らないので、トレーニング用のラベルが貼付された商品をレジまで運んでしまう可能性がある。そして、レジの店員が、トレーニング用のラベルが貼付されていることに気付かない場合には、トレーニングとして入力した値段等によって精算されてしまう虞がある。また、レジの店員が、トレーニング用のラベルが貼付されていることに気付いたとしても、お客が持ってきたトレーニング用のラベルが貼付されている商品であって本番用のラベルが貼付されている商品を陳列棚から持って来て、両ラベルの値段等が一致していなければお客に説明する必要も生じてしまう。また、値段等が一致していたとしても、上述の如く、本番用のラベルが貼付されている商品を陳列棚から持って来る手間と時間は掛かってしまう。
【０００６】
なお、特許文献１に記載のラベルプリンタは、トレーニング用のバーコード体系でラベルを発行するが、特許文献１に記載のラベルプリンタが発行するトレーニング用のラベルは、バーコード体系は異なるものの、外形上は、本番用のラベルと区別し難く、破棄されずに店頭に陳列される商品に誤って貼付される可能性がある。そして、お客がトレーニング用のラベルが貼付された商品をレジまで運んでしまった場合、トレーニング用のバーコード体系では精算はできないので、結局、本番用のラベルが貼付されている商品を陳列棚から持って来る手間と時間が掛かり、更に、両ラベルの値段等が一致していなければお客に説明しなければならない。
【０００７】
また、特許文献１の如くバーコード体系を変える代わりに、トレーニングとして発行されるラベル全体に特殊な文字等を印字することにより、トレーニングとして発行されたラベルであると分かるようにすることも考えられる。しかし、ラベル全体に特殊な文字等を印字してしまうと、トレーニングとして印字した内容を確認し難く、発行されたラベルを見て、直ちに、操作と印字内容の関係や操作の正誤などを確認することができないので、トレーニング自体の効率を低下させてしまう虞がある。
【０００８】
本発明は、上記の点に鑑みてなされたものであり、オペレータに効率よくトレーニングをさせることができるとともに、トレーニングとして発行されたラベルが破棄されるべきラベルであることを一見して確実に認識することができるラベルプリンタを提供することを目的とする。
【課題を解決するための手段】
【０００９】
本発明の一態様は、ラベルに商品情報を印字するラベルプリンタであって、トレーニング用の前記ラベルを発行するトレーニングモードを選択する選択手段と、前記トレーニングモードで発行された前記ラベルであることを示す印を商品情報と重ならない位置に印字させる制御手段とを備えることを特徴とするラベルプリンタである。
上記ラベルプリンタによれば、トレーニングモードで発行されたラベルには、トレーニングモードで発行されたラベルであることを示す印が印字されるので、破棄されるべきラベルであることを一見して確実に認識することができる。また、上記印は、商品情報（即ち、オペレータの操作に応じた印字内容）と重ならない位置に印字されるので、直ちに、操作と印字内容の関係や操作の正誤などを確認することができ、オペレータに効率よくトレーニングをさせることもできる。
【００１０】
また、上記ラベルプリンタにおいて、前記制御手段は、前記トレーニングモードで発行された前記ラベルであることを示す前記印を前記商品情報に含まれる商品の識別情報であるバーコードと重ならない位置に印字させるようにしてもよい。
上記ラベルプリンタによれば、更に、オペレータに実際に商品の販売に使用されるバーコード体系を用いて、バーコードが正しく読み取り可能か否かのチェックをさせることができる。
【００１１】
また、上記ラベルプリンタにおいて、前記制御手段は、前記トレーニングモードにおいて、前記印を前記ラベルの隅部に印字させるようにしてもよい。
上記ラベルプリンタによれば、ラベルの隅部に印字された印を見れば、破棄されるべきラベルであることを確実に認識することができる。また、印字内容と重ならない隅部に印を印字するので、印字内容を確認し易く、より一層、オペレータに効率よくトレーニングをさせることもできる。
【００１２】
また、本発明の他の態様は、ラベルに商品情報を印字するラベルプリンタであって、トレーニング用の印字フォーマットにおいて、前記トレーニング用の前記ラベルであることを示す前記印の印字領域と、前記商品情報を印字するための印字領域とが重なる場合、前記商品情報を印字するための印字領域を優先して印字させる制御手段を備えることを特徴とするラベルプリンタである。
上記ラベルプリンタによれば、破棄されるべきラベルであることを一見して確実に認識することができる。また、オペレータに実際に商品の貼付されるラベルと同じフォーマットを用いて、オペレータに効率よくトレーニングをさせることができる。
【発明の効果】
【００１３】
本発明によれば、オペレータに効率よくトレーニングをさせることができるとともに、トレーニングとして発行されたラベルが破棄されるべきラベルであることを一見して確実に認識することができる。
【図面の簡単な説明】
【００１４】
【図１】本発明の一実施形態におけるラベルプリンタの構成例を示すブロック図である。
【図２】同実施形態における商品ファイルの例を示す図である。
【図３】同実施形態における印字フォーマットファイルの例を示す図である。
【図４】同実施形態におけるラベル発行モードにおけるラベルの印字例を示す図である。
【図５】同実施形態におけるトレーニングモードにおけるラベルの印字例を示す図である。
【図６】同実施形態におけるトレーニングモードにおけるラベルの印字例を示す図である。
【図７】同実施形態におけるラベルプリンタの動作の一例を示すフローチャートである。
【発明を実施するための形態】
【００１５】
以下、本発明の一実施形態について図面を参照して説明する。図１は、本発明の一実施形態におけるラベルプリンタ１の構成例を示すブロック図である。ラベルプリンタ１は、制御装置１００と、はかり２と、印字機構部３と、操作部５とを備える。
【００１６】
はかり２は、ロードセル２ａを有する。ロードセル２ａは、商品の重量を計測し、商品の重量を示す信号を制御装置１００に出力する。印字機構部３は、制御装置１００による制御に基づいて、所定の印字フォーマットで印字データ（商品情報）をラベル用媒体に印字し、商品のラベルを発行する。
【００１７】
ラベル用媒体（以下、単にラベルとも称する）は、一方の面（表面とも称する）が印字機構部３により印字される印字面で、他方の面（裏面とも称する）が商品に貼付するための粘着剤が塗布された接着面となっており、ロール状に巻かれた形態で印字機構部３にセットされる。また、ラベルの種類として、ラベルの接着面に台紙を付けてロール状に巻かれた台紙付きラベルと、ラベルの接着面に台紙がなくそのままロール状に巻かれた台紙レスラベルとがある。なお、台紙付きラベルは、例えば、ロールの巻き方向に対して所定の長さで予め分割されたラベルが台紙に貼り付けられた状態で巻かれている。一方、台紙レスラベルは、例えば、ラベルを切り取るカッターを備えた印字機構部３により印字内容に合わせてカットされる。なお、印字機構部３は、プラテンローラとサーマルヘッドから構成され、押圧されている該両部材間をラベル用媒体が搬送され、サーマルヘッド内の発熱体より所定のタイミングで熱が加えられることで、印字面に所定事項が印字される。
【００１８】
操作部５は、キー操作部７と、タッチパネル９ａと、液晶表示器９ｂとを有する。液晶表示器９ｂは、タッチパネル９ａと一体に構成され、制御装置１００による制御に基づいて、画像を表示する。液晶表示器９ｂの解像度は、例えば、６４０×４８０［ドット］である。なお、液晶表示器９ｂは、操作部５が備える表示器の一例であって、表示器として、液晶表示器９ｂに代えて、例えば、有機ＥＬ（Electro Luminescence）を用いてもよい。タッチパネル９ａは、オペレータによる操作入力（例えば、液晶表示器９ｂに表示されているモード選択キーなどの各種キーを構成するアイコン画像を押下する操作）を受け付け、操作入力に応じた信号を、制御装置１００に出力する。キー操作部７は、オペレータによる操作入力を受け付け、操作入力に応じた信号を、制御装置１００に出力する。キー操作部７は、例えば、０から９までの１０個の数字キーを含むテンキー（不図示）、商品番号を入力する指示を受け付ける品番キー（不図示）などが配置されている。以下、操作入力を受け付けるキーを操作キーと総称する。
【００１９】
制御装置１００は、ラベルプリンタ１の各部を制御する。制御装置１００は、ＣＰＵ２０（Central Processing Unit）（制御手段）と、ロードセル制御部２１と、印字制御部２２と、操作制御部２４と、表示制御部２５と、ＲＡＭ３０（Random Access Memory）と、ＲＯＭ４０（Read Only Memory）とを有する。
【００２０】
ＲＯＭ４０は、各種情報を記憶する。例えば、ＲＯＭ４０は、制御プログラムを記憶する。なお、ＲＯＭ４０に記憶された情報のうち所定の情報（例えば、制御プログラム）は、制御装置１００の電源が投入された際にＲＡＭ３０に展開される（読み出される）。
【００２１】
ＲＡＭ３０は、各種情報を一時記憶する。例えば、ＲＡＭ３０は、ＲＯＭ４０から展開された制御プログラムを一時記憶する。また、例えば、ＲＡＭ３０は、商品ファイル、フォーマットファイルを一時記憶する。フォーマットファイルの一例は、印字フォーマットに関する印字フォーマット情報を格納する印字フォーマットファイル、表示フォーマットに関する表示フォーマット情報を格納する表示フォーマットファイルである。なお、商品ファイルやフォーマットファイルは、ＲＯＭ４０から読み出されてＲＡＭ３０に一時記憶されてもよいし、外部（ラベルプリンタ１以外の装置）から受信されてＲＡＭ３０に一時記憶されてもよい。
【００２２】
ロードセル制御部２１には、商品の重量を示す信号が、はかり２のロードセル２ａから入力される。ロードセル制御部２１は、ロードセル２ａから入力された信号を、ＣＰＵ２０に転送する。
【００２３】
印字制御部２２は、ＣＰＵ２０による制御に基づいて印字機構部３を制御する。例えば、印字制御部２２は、ＣＰＵ２０の制御に基づいて画像処理（例えば、印字フォーマットに基づく印字データのビットマップ処理）を実行し、印字データ（ビットマップ情報）を印字機構部３に出力することによって、印字フォーマットに従った情報（例えば、商品情報）を印字したラベルが発行されるように印字機構部３を制御する。なお、印字制御部２２は、印字機構部３が上述のような処理をするように印字機構部３を制御してもよい。印字制御部２２には、印字結果を示す信号が、印字機構部３から入力されてもよい。
【００２４】
表示制御部２５は、ＣＰＵ２０による制御に基づいて液晶表示器９ｂを制御する。例えば、表示制御部２５は、ＣＰＵ２０の制御に基づいて画像処理（例えば、表示フォーマットに基づく表示データのビットマップ処理）を実行し、表示データ（ビットマップ情報）を液晶表示器９ｂに出力することによって、表示フォーマットに従った情報（例えば、トレーニングモード画面等の各種画面、商品情報）が表示されるように液晶表示器９ｂを制御する。なお、表示制御部２５は、液晶表示器９ｂが上述のような処理をするように液晶表示器９ｂを制御してもよい。
【００２５】
操作制御部２４には、オペレータの操作に応じた信号が操作部５から入力される。例えば、操作制御部２４には、操作部５のキー操作部７から値段を示す信号が入力される。また、操作制御部２４には、操作部５のタッチパネル９ａからプレビューの実行を指示するプレビュー指示信号が入力される。操作制御部２４は、操作部５から入力された信号をＣＰＵ２０に転送する。
また、制御装置１００は、印字機構部３であるプラテンローラをステッピングモータにより駆動させる印字駆動制御部（不図示）を有する。
【００２６】
ＣＰＵ２０は、バスを介して制御装置１００の各部と接続されている。ＣＰＵ２０は、ＲＡＭ３０に展開された制御プログラムに基づいて、制御装置１００の各部を制御する。
【００２７】
図２は、商品ファイルの例を示す図である。商品ファイルは、商品に関する情報（商品情報）を記憶（格納）する。商品ファイルは、例えば、図２に示すように、商品の識別情報（商品番号）、商品の品名、商品の値段、フォーマット番号などの項目を含む。各項目は、互いに対応付けられている。なお、フォーマット番号は、印字フォーマットファイル（図３を参照）におけるフォーマット番号であり、当該商品のラベルに商品情報を印字する際に使用される印字フォーマットを示している。例えば、図２に示す例によれば、商品番号「０００１００」の商品（品名「国産牛肉ロースステーキ」）のラベルには、フォーマット番号「１」の印字フォーマットに従って商品情報が印字される。
【００２８】
図３は、印字フォーマットファイルの例を示す図である。図３（ａ）はラベル発行モード用の印字フォーマットファイル、図３（ｂ）はトレーニングモード用の印字フォーマットファイルである。ラベル発行モード、トレーニングモードについては後述する。印字フォーマットファイルは、例えば、図３に示すように、フォーマット番号毎に、各印字項目における印字位置（Ｘ座標）、印字位置（Ｙ座標）、印字向き（縦／横）、ラベル長などの項目を含む。フォーマット番号は、印字フォーマットを識別する識別情報である。ラベル長は、ロール状に巻かれているラベルのロールの巻き方向のカット長さを示す。ラベル長は、フォーマット番号に対応付けて記憶されている（即ち、印字フォーマット毎にラベル長が設定されている）。該ラベル長は、印字機構部３のプラテンローラにおけるステッピングモータを一定の速度で回転させる時間データである。つまり、ＣＰＵ２０により印字開始の信号が出力されると、印字駆動制御部により、該設定されているラベル長における時間だけ、プラテンローラが回転される。そして、このプランテンローラが駆動されている間の所定のタイミングにサーマルヘッドの各発熱体より発熱され、所定事項が印字面に印字され、プラテンローラの回転が終了すると、台紙から用紙が剥離され、枚葉状のラベルが発行される。つまり、台紙にラベルが貼付されているタイプの台紙付きラベルロールでは、通常、該貼付されているラベル毎のラベル長は一定であるので、図３（ａ）におけるラベル長は一定になる場合が多く、各フォーマット番号によりラベル長が異なる場合は、使用するラベルロールを変更することが必要になる。  一方、台紙が付されていない連続した用紙の一方の面を印字面、他方の面を粘着面とする台紙レスラベルロールの場合は、印字発行するラベル長がラベル毎に異なっていても、一つのラベルロールにより所望のラベル長のラベルを発行できる。この場合は、台紙付きラベルロールと同様に、ＣＰＵ２０により印字開始の信号が出力されると、印字駆動制御部により、読み出されたフォーマット番号のラベル長における時間だけ、プラテンローラが回転され、その後、カッター部（不図示）により連続した用紙が切断され、枚葉状のラベルが発行される。
【００２９】
印字項目は、ラベル（ラベル用媒体）に印字する項目を示す。印字項目は、フォーマット番号に対応付けて複数記憶されている（即ち、印字フォーマット毎に複数の印字項目の領域等が設定されている）。例えば、ラベル発行モード用の印字フォーマットには、品名、賞味期限、加工日、バーコードなどの各印字項目の領域や印字の向きや使用されるフォント等が設定されている（便宜上、図３（ａ）では、品名、バーコード、…、と表記）。また、トレーニングモード用の印字フォーマットには、ラベル発行モード用の印字フォーマットの印字項目に加え、トレーニング印（トレーニングモード印とも称する。例えば、後述のトレーニングモード印３０１）などの印字項目について設定されている（便宜上、図３（ｂ）では、品名、バーコード、トレーニング印、…、と表記）。
【００３０】
印字位置（Ｘ座標）は、ラベルに印字される各印字項目の夫々の印字位置（例えば、印字開始位置）のＸ座標を示す。印字位置（Ｙ座標）は、ラベルに印字される各印字項目の夫々の印字位置（例えば、印字開始位置）のＹ座標を示す。印字位置は、フォーマット番号及び印字項目に対応付けて記憶されている（即ち、印字フォーマット毎、印字項目毎に印字位置（Ｘ座標）と印字位置（Ｙ座標）が設定されている）。なお、例えばラベルの左上の座標を｛（Ｘ座標、Ｙ座標）＝（０，０）｝としてもよい。印字向きは、ラベルに印字される印字項目毎の印字の向き（縦又は横）を示す。印字向きは、印字位置と同様、フォーマット番号及び印字項目に対応付けて記憶されている。
【００３１】
また、印字フォーマットファイルに、上述の印字位置に対応して、その位置からＹ方向の長さである高さデータ、Ｘ方向の長さである長さデータが設定されている。これにより、印字フォーマット毎の各印字項目に対し、矩形状の印字範囲が形成（設定）されることになる。
【００３２】
なお、印字フォーマット毎、印字項目毎に印字範囲を設定した場合において、印字データの印字領域が重なることも考えられる。このような場合、ＣＰＵ２０は、印字範囲（印字位置、高さ、長さ）を調整（制御）してもよい。例えば、各印字項目に優先順位を予め設定しておき、調整しなければ２つの印字項目の印字領域（２つの印字項目の夫々の印字データの印字領域）が重なるような場合には、ＣＰＵ２０は、両印字項目の優先順位に基づいて、一方の印字項目（もしくは両方の印字項目）に設定されている印字位置や高さや長さなどを変更し、２つの印字項目の印字領域が重ならないようにしてもよい。
【００３３】
なお、トレーニング用の印字フォーマットにおいて、トレーニング印の印字領域と、トレーニング印以外の印字項目の印字領域（例えば、品名の印字領域）が一部でも重なる場合、トレーニング印以外の印字項目を優先して印字させるようにしてもよい。そうすることによりトレーニング印は、印字領域が重なった箇所が欠けて印字される。ここで、トレーニング印が欠けていても、トレーニングモードで発行されたラベルということを、ラベルを見た人に認識させることができればよい。一方、トレーニングにおける品名等の印字データは、オペレータに設定した内容通りに印字されているかを確認させる必要があるので、優先して印字させる。そうすることによりオペレータに商品に関する印字内容を全て確実に確認させることができる。
【００３４】
ここで、トレーニング印以外の印字項目を優先して印字する制御の一例の概要について説明する。例えば、ＣＰＵ２０は、各印字項目の印字領域を座標データに変換してＲＡＭ３０に一時記憶させる。ＣＰＵ２０は、複数の印字項目の印字領域に含まれている座標がある場合、該座標を印字領域に含む印字項目の優先順位を比較する。ＣＰＵ２０は、印字項目の優先順位を比較した結果、印字領域の座標が重なった箇所について、優先順位の高い印字項目のみ印字を実行させる。なお、このような優先制御を行った後の印字内容を見やすくするために、処理を行った座標の周囲に一定範囲を定めて何も印字されない空白部分を設けてもよい。
【００３５】
なお、このように各印字項目に優先順位を付けて印字フォーマットを変更する場合、優先度の低い印字項目の印字領域が、優先度の高い印字項目の印字領域に全て重なることがある。このような場合、優先度の低い印字項目は何も印字されなくなるため、ＣＰＵ２０によりオペレータにエラーであることを通知させるようにしてもよい。
【００３６】
続いて、ラベルプリンタ１の動作モードについて説明する。ラベルプリンタ１は、例えば、商品登録モード、ラベル発行モード、トレーニングモード等を含む複数の動作モードを有する。商品登録モードは、商品に貼り付けるラベルに印字される商品名等の情報を登録する動作モードである。ラベル発行モードは、陳列する商品に貼付するラベル（本番用のラベル）を発行する動作モードである。トレーニングモードは、オペレータにラベルプリンタ１の操作を習得させるために使用される動作モードであり、オペレータのトレーニングを目的として、オペレータから商品登録やラベル発行等の入力指示を受け付ける動作モードである。
【００３７】
なお、ラベルプリンタ１は、液晶表示器９ｂに表示されるモード選択キー（選択手段）がタッチパネル９ａを介してオペレータの操作入力（選択入力）を受け付けることにより、オペレータが指定する動作モードに切り替わる。また、ラベルプリンタ１は、各モードに応じた画面（例えば、トレーニングモード用のトレーニングモード画面）を表示するようにしてもよい。
【００３８】
図４は、ラベル発行モードにおけるラベルの印字例を示す図である。具体的には、図４に示したラベルは、台紙付きラベルを使用した印字例である。ラベルプリンタ１は、ラベル発行モードにおいて、例えば、図４に示すように、品名欄２０１、賞味期限欄２０２、加工日欄２０３、単価欄２０４、重量欄２０５、バーコード欄２０６、値段欄２０７、及び店名住所欄２０８などに、夫々の商品情報を印字したラベルを発行する。品名欄２０１は、品名を印字する欄である。賞味期限欄２０２は、商品の賞味期限（年月日）を印字する欄である。加工日欄２０３は、商品の加工日（年月日）を印字する欄である。単価欄２０４は、商品の単位当たりの値段（単価）を印字する欄である。重量欄２０５は、はかり２により計量された商品の重量を印字する欄である。バーコード欄２０６は、商品に固有の識別情報であるバーコードを印字する欄である。値段欄２０７は、商品の値段（販売価格）を印字する欄である。店名住所欄２０８は、商品を販売している店舗の情報（例えば、店名、住所、電話番号）を印字する欄である。
【００３９】
図５は、トレーニングモードにおけるラベルの印字例を示す図である。具体的には、図５（ａ）〜図５（ｄ）の夫々に示したラベルは、台紙付きラベルを使用した印字例である。ラベルプリンタ１は、トレーニングモードにおいて、台紙付きラベルを使用して、例えば、図５（ａ）〜図５（ｄ）の夫々に示すようなラベルを発行する。図５（ａ）〜図５（ｄ）の夫々に示したラベルにおいて印字されている内容は、トレーニングモード印３０１を除き、図４に示したものと同様である。
【００４０】
トレーニングモード印３０１は、当該トレーニングモード印３０１が印字されているラベルが、トレーニングモードで印字されたラベルである旨、つまり、トレーニングとして発行されたラベル（トレーニング用のラベル）であって陳列される商品への貼付が禁止されたラベルである旨をオペレータ等に警告するための印である。換言すれば、オペレータは、発行されたラベルにトレーニングモード印３０１が印字されていれば、当該ラベルを商品に貼付してはいけないということを認識する。
【００４１】
なお、図５（ａ）は、トレーニングモード印３０１をラベルの左上隅に印字する印字フォーマットによる印字例を示している。図５（ｂ）は、トレーニングモード印３０１をラベルの右上隅に印字する印字フォーマットによる印字例を示している。図５（ｃ）は、トレーニングモード印３０１をラベルの左下隅に印字する印字フォーマットによる印字例を示している。図５（ｄ）は、トレーニングモード印３０１をラベルの右下隅に印字する印字フォーマットによる印字例を示している。即ち、本実施形態においては、例えば、トレーニングモード印３０１は、ラベルの四隅の何れか１箇所の隅部に印字される。なお、図５（ａ）〜図５（ｄ）の何れかの印字フォーマットを選択可能に設定しておくことによって、オペレータは、所望の印字フォーマットを選択し、ラベルプリンタ１のトレーニングを行うことができる。
【００４２】
なお、図５に示すように、トレーニングモード印３０１と各商品情報の印字位置とが重なっていないが、これは、トレーニングモード印３０１と各商品情報の印字位置とが重ならないように、ラベル発行モード用の印字フォーマット（ファイル）を元に、トレーニングモード用の印字フォーマット（ファイル）を作成しておくことにより実現される。
【００４３】
また、予めラベルが分割された台紙付きラベルを使用した印字においては印字領域が限られている。そのため、トレーニングモード印３０１と各商品情報の印字位置とが重ならないように印字するための空き領域が必ずしも確保できるとは限らない。そこで、例えば、商品情報の印字領域を狭めることによってトレーニングモード印３０１の印字領域を確保している。例えば、図５の例では、トレーニングモードにおけるラベル上部の品名欄２０１及び店名住所欄２０８の印字領域（横方向）を狭めている。
【００４４】
図６は、トレーニングモードにおけるラベルの印字例を示す図である。具体的には、図６（ａ）〜図６（ｄ）の夫々に示したラベルは、台紙レスラベルを使用した印字例である。ラベルプリンタ１は、トレーニングモードにおいて、台紙レスラベルを使用して、例えば、図６（ａ）〜図６（ｄ）の夫々に示すようなラベルを発行する。図６（ａ）〜図６（ｄ）の夫々に示したラベルにおいて印字されている内容は、トレーニングモード印３０１を除き、図４に示したものと同様である。
【００４５】
図６（ａ）は、トレーニングモード印３０１をラベルの左上隅に印字する印字フォーマットによる印字例を示している。図６（ｂ）は、トレーニングモード印３０１をラベルの右上隅に印字する印字フォーマットによる印字例を示している。図６（ｃ）は、トレーニングモード印３０１をラベルの左下隅に印字する印字フォーマットによる印字例を示している。図６（ｄ）は、トレーニングモード印３０１をラベルの右下隅に印字する印字フォーマットによる印字例を示している。なお、図６（ａ）〜図６（ｄ）の何れかの印字フォーマットを選択可能に設定しておくことによって、オペレータは、所望の印字フォーマットを選択し、ラベルプリンタ１のトレーニングを行うことができる。
【００４６】
なお、図６に示すように、トレーニングモード印３０１と各商品情報の印字位置とが重なっていないが、これは、トレーニングモード印３０１と各商品情報の印字位置とが重ならないように、ラベル発行モード用の印字フォーマット（ファイル）を元に、トレーニングモード用の印字フォーマット（ファイル）を作成しておくことにより実現される。
【００４７】
また、予めラベルが分割された台紙付きラベルではなく、台紙レスラベルを使用することにより、ラベル長は変更することができる。従って、トレーニングモード印３０１の印字領域を商品情報の印字領域の上部（図６（ａ）、図６（ｂ）参照）、又は、下部（図６（ｃ）、図６（ｄ）参照）に設けることとすれば、ラベル発行モード用の印字フォーマットからの変更部分は、トレーニングモード印３０１の印字領域を左右方向に確保する必要はなく上部又は下部にトレーニングモード印３０１を印字するように変更するのみであるので、簡便にトレーニングモード用の印字フォーマットを作成することができる。
【００４８】
図７は、ラベルプリンタの動作の一例を示すフローチャートである。具体的には、トレーニングモードにおいてラベルを発行する動作の一例を表している。
ステップＳ１：ラベルプリンタ１は、トレーニングモード画面を表示する。具体的には、操作制御部２４は、トレーニングモード画面を表示させるための操作入力を、操作部５を介して受け付ける。操作制御部２４は、トレーニングモード画面を表示させる指示信号を、ＣＰＵ２０に出力する。ＣＰＵ２０は、トレーニングモード画面を表示させる指示信号に基づいて、表示制御部２５を介して、トレーニングモード画面を液晶表示器９ｂに表示させる。なお、トレーニングモード画面においては、操作制御部２４は、オペレータによりキー操作部７の操作キーが押下されることにより操作入力を受け付ける。
【００４９】
ステップＳ２：ラベルプリンタ１は、トレーニングモード用の印字フォーマットファイルを読み込む。具体的には、ステップＳ１においてトレーニングモード画面を表示させる指示信号を入力したＣＰＵ２０は、トレーニングモード用の印字フォーマットファイル（図３（ｂ）参照）をＲＡＭ３０に展開する。
【００５０】
ステップＳ３：ラベルプリンタ１は、オペレータからの印字データの入力指示を受け付ける。具体的には、ＣＰＵ２０は、オペレータの操作入力に応じた指示信号を操作制御部２４から入力する。なお、操作制御部２４は、操作部５（キー操作部７）が操作（押下）された場合には、操作されたキーに応じた指示信号をＣＰＵ２０に出力する。一例として、オペレータが、キー操作部７の数字キーに続けて品番キーを押下した場合には、印字データとして、図２の商品ファイルから該当する商品の商品情報を呼び出す旨の入力指示を受け付ける。例えば、オペレータが、「０」、「０」、「０」、「１」、「０」、「１」の数字キーを入力し、続いて「品番」キーが押下した場合には、商品番号０００１０１の商品情報（品名、値段、バーコード情報、賞味期限、加工日、フォーマット番号等）を呼び出す旨の入力指示を受け付ける。これにより、印字に使用する、トレーニングモード用の印字フォーマットが決定される。つまり、ＣＰＵ２０は、例えば、上記例のように、商品番号０００１０１の商品情報（図２においてフォーマット番号「２」）を呼び出す旨の入力指示を受け付けた場合、ステップＳ２において展開したトレーニングモード用の印字フォーマットファイルの中から、フォーマット番号「２」のトレーニングモード用の印字フォーマットを決定する。なお、ラベルプリンタ１は、オペレータからの印字データの入力指示に従って、トレーニングモード画面に印字データとなる商品情報を表示する。
【００５１】
ステップＳ４：ラベルプリンタ１は、ラベルを印字する。例えば、ＣＰＵ２０は、オペレータの印字指示信号を操作制御部２４から入力した場合などに、印字制御部２２を介して、印字機構部３に、ラベルを印字、発行させる。なお、操作制御部２４は、操作部５を介して印字指示を受け付けた場合に、印字指示信号をＣＰＵ２０に出力する。つまり、ステップＳ２で読み出された印字フォーマットファイルと、ステップＳ３の入力指示に応じて呼び出された商品情報とにより、例えば図５や図６に示すようにラベルが発行される。即ち、ステップＳ２において読み出されたトレーニングモード用の印字フォーマットファイルに規定されている印字フォーマットの中から、ステップＳ３の入力指示に応じて呼び出された商品情報（フォーマット番号）に対応する印字フォーマットが特定され、当該印字フォーマットに従って、商品情報（品名、値段等）やトレーニングモード印３０１を印字したラベルが発行される。
【００５２】
ステップＳ５：ラベルプリンタ１は、終了指示があったか否かを判定する。具体的には、ＣＰＵ２０は、終了指示信号を、操作制御部２４から入力したか否かを判定する。なお、操作制御部２４は、操作部５を介して処理終了の指示を受け付けた場合に、終了指示信号をＣＰＵ２０に出力する。終了指示があった場合（ステップＳ５：Ｙｅｓ）、処理を終了する。一方、終了指示がなかった場合（ステップＳ５：Ｎｏ）、ステップＳ３に戻る。
【００５３】
以上のように、ラベルプリンタ１は、トレーニング用のラベルを発行するトレーニングモードを選択する選択手段（モード選択キー）と、トレーニングモードで発行されたラベルであることを示す印（トレーニングモード印３０１）を商品情報と重ならない位置に印字させる制御手段（ＣＰＵ２０）とを備える。従って、ラベルプリンタ１によれば、オペレータに効率よくトレーニングをさせることができるとともに、トレーニングとして発行されたラベルが破棄されるべきラベルであることを一見して確実に認識することができる。
【００５４】
なお、上記説明では、ラベル発行モード用の印字フォーマットファイル（図３（ａ））、トレーニングモード用の印字フォーマットファイル（図３（ｂ））のように、別々の印字フォーマットファイルを用意しているが、共通の１つの印字フォーマットファイルを用いてもよい。例えば、共通の１つの印字フォーマットファイルにおいて、ラベル発行モード用の印字フォーマットと、トレーニングモード用の印字フォーマットとを異なるフォーマット番号によって管理してもよい。
【００５５】
なお、上述の如く、共通の印字フォーマットファイルにおいてラベル発行モード用の印字フォーマットとトレーニングモード用の印字フォーマットとを異なるフォーマット番号によって管理する態様の場合には、商品ファイルにて、１つの商品に対し、２種類のフォーマット番号を対応付ける。つまり、夫々の商品に、ラベル発行モード用の印字フォーマットＡを示すフォーマット番号「Ｘ」と、トレーニングモード用の印字フォーマットＡ’を示すフォーマット番号「Ｙ（ＹはＸ以外）」とを対応付ける。なお、トレーニングモード用の印字フォーマットＡ’は、ラベル発行モード用の印字フォーマットＡを元に作成されたものである。
【００５６】
一方、ラベル発行モード用の印字フォーマットファイル、トレーニングモード用の印字フォーマットファイルのように別々の印字フォーマットファイルを用いる態様においては、あるラベル発行モード用の印字フォーマットのフォーマット番号（ラベル発行モード用の印字フォーマットファイル内のフォーマット番号）と、当該ラベル発行モード用の印字フォーマットに対応するトレーニングモード用の印字フォーマット（当該ラベル発行モード用の印字フォーマットに基づいて作成した、あるトレーニングモード用の印字フォーマット）のフォーマット番号（トレーニングモード用の印字フォーマットファイル内のフォーマット番号）と、を同一番号するとよい。例えば、ラベル発行モード用の印字フォーマットファイルにおけるフォーマット番号「１」のラベル発行モード用の印字フォーマットＡを元に、トレーニングモード用の印字フォーマットＡ’を作成した場合には、トレーニングモード用の印字フォーマットファイルにおけるフォーマット番号「１」はトレーニングモード用の印字フォーマットＡ’とするとよい。これにより、商品ファイルでは、図２の如く１つのフォーマット番号を対応付ければ済むので便利である。
【００５７】
また、図７のフローチャートにおいて、ステップＳ２で、トレーニング用の印字フォーマットファイルを読み込み、当該ファイルから、ステップＳ３の入力指示に応じて呼び出された商品情報（フォーマット番号）に対応する印字フォーマットが特定され、当該印字フォーマットに従って、商品情報（品名、値段等）やトレーニングモード印３０１を印字したラベルが発行される態様を示したが、トレーニングモード印３０１を印字させる方法はこれに限らない。例えば、トレーニングモード印３０１の印字に関しては、印字フォーマットファイル（印字フォーマット）とは別に、設定されていてもよい。具体的には、トレーニングモードで発行されるラベルには、必ず図５（ａ）に示すように、ラベルの左上隅にトレーニングモード印３０１が印字されるように定められてもよい。
【００５８】
ここで、トレーニングモード用の印字フォーマットを使用せずに、所定位置（例えば、上述の如く、ラベルの左上隅）に、自動的にトレーニングモード印３０１を印字させる実施形態の一例について説明する。ラベル発行において、商品情報を印字するための印字フォーマットは、図２における商品番号に関連して設定されているので、トレーニングモードにおいても通常のラベル発行の操作と同様に、キー操作部７より商品番号と、品番とを入力することにより、印字する商品情報と印字フォーマットとが呼び出される。そして、呼び出された印字フォーマットにおいて予め定められた位置に、トレーニングモード印３０１を印字する。トレーニングモード印３０１は、例えばビットマップ形式で作成された印字データであり、商品情報の印字と重なって印字されてもよい。具体的には、例えば、ステップＳ1ではトレーニングモードが選択されたことを示す情報（例えば、フラグ）をＲＡＭ３０の所定領域に記憶し、ステップＳ２では、通常の印字フォーマットファイル（ラベル発行モード用の印字フォーマットに相当する本番用の印字フォーマットファイル）を展開し、ステップＳ３では、トレーニングモードが選択されたことを示す情報がＲＡＭ３０に記憶されているため、所定領域にトレーニングモード印３０１が印字されるように、選択された商品の印字データを通常の印字フォーマットに従って作成する。例えば、まず、ＲＡＭ３０上に、印字フォーマットに従ってビットマップ（即ち、本番用と同様の印字データ）を作成し、作成したビットマップ上の所定領域にトレーニングモード印３０１を重ねるようにしてもよい。なお、ステップＳ３において、トレーニングモードが選択されたことを示す情報がＲＡＭ３０に記憶されていない場合には（本番用のラベルを発行する場合には）、トレーニングモード印３０１を印字しないため、選択された商品の印字データを通常の印字フォーマットに従って作成するだけでよい。
【００５９】
このようにすることで、トレーニング用の印字フォーマットを用いなくても、トレーニングモード印３０１を印字する領域さえ予め決めておけば、トレーニング用の印字フォーマットを用いる場合と同様、オペレータがトレーニングモードを選択する操作キーを押下した後は、通常のラベル発行と同様に操作をするだけで、トレーニングモード印３０１を印字したラベルを発行することができる。また、このようにすることで、通常の印字フォーマットの他に、トレーニング用の印字フォーマットを作成したり、設定したりする手間がなく、作業性が向上する。
【００６０】
なお、トレーニングモード用の印字フォーマットを使用せずにトレーニングモード印３０１を印字させる態様においては、トレーニングモード印３０１と、商品情報（例えば、品名欄の印字）とが重なってしまう可能性もある。しかし、少なくとも、トレーニングモード印３０１をバーコードと重ならない位置に印字させることにより、トレーニングモードで発行されたラベルが、レジで正しく処理できるか否かをレジのバーコードスキャナで読み取りチェックをさせることができる。即ち、トレーニングにおいて、オペレータに実際に商品の販売に使用されるバーコード体系を用いて、バーコードが正しく読み取り可能か否かのチェックをさせることができる。
【００６１】
なお、トレーニングモードで発行されたラベルに印字されたバーコードをスキャンする前に、実際の売上実績としてカウントアップしないようにする必要がある。例えば、レジ側の制御として、トレーニングモードで発行されたラベルのスキャンにより実際の売上の実績としてカウントアップしないようにしてもよい。具体的には、以降のスキャンによる登録について登録終了後に売上実績の元となるログ（取引情報）を生成しないように宣言する宣言手段を設けるようにしてもよいし、以降のスキャンによる登録について実際の売上実績ではなくトレーニング用の売上実績としてカウントアップされるトレーニング用のログを生成するように宣言する宣言手段を設けるようにしてもよい。
【００６２】
また、図５、図６に示した例では、ラベル１枚に対しトレーニングモード印３０１を１つ印字しているが、トレーニングとして印字した内容を確認できる範囲において、ラベル１枚に対しトレーニングモード印３０１を２以上印字してもよい。また、トレーニングモードで発行されたラベルであることを示す印は、トレーニングモードで発行されたラベルであることをオペレータ等が一見して確実に認識されるものであればよく、図５、図６に示したトレーニングモード印３０１に限定されない。例えば、上記印は、図形ではなく、１以上の文字、記号から構成されるものであってもよい。
【００６３】
また、トレーニングの対象者（若しくは、トレーニングを行わせる責任者）に応じて、トレーニングモードにおいて発行されるラベルに印字する、トレーニングモードで発行されたラベルであることを示す印を異ならせてもよい。これにより、陳列される商品に誤ってトレーニングモードにおいて発行されたラベルが貼付された場合には責任の所在が明確になるので、トレーニングモードにおいて発行されたラベルは責任を持って破棄されるようになり、より一層、陳列される商品に、トレーニングモードにおいて発行されたラベルが貼付されるリスクを低減することができる。なお、トレーニングの対象者（トレーニングを行わせる責任者の場合も同様）に応じて印を異ならせる方法の一例は、予め、トレーニングの対象者を識別する店員識別情報に対応付けて互いに異なる印を設定しておき、ある対象者にトレーニングを開始させる際には当該対象者の店員識別情報を入力させることにより、当該対象者固有の印がラベルに印字されるようにしてもよい。なお、対象者毎に互いに異なる印（対象者固有の印）は、店員の誰もがトレーニングモードで発行されたラベルであることを一見して確実に認識される必要があるので、全体としては統一性があって互いに細部が異なる印が好ましい。例えば、図５、図６に示したトレーニングモード印３０１（バツ印）の近傍（例えば下部）に、注視すれば確認できる程度に小さく、対象者固有の番号（例えば、店員識別情報の全部又は一部）を追加した印であってもよい。
【００６４】
以上、この発明の実施形態について図面を参照して詳述してきたが、具体的な構成はこの実施形態に限られるものではなく、この発明の要旨を逸脱しない範囲の設計等も含まれる。例えば、上述の説明では、ラベルプリンタ１の制御装置１００が、トレーニングモードにおいてトレーニングモード印３０１をラベルに印字させる形態について説明した。しかしトレーニングモード印３０１をラベルに印字させる方法はこれに限らない。例えば、ラベルプリンタ１の制御装置１００が、トレーニングモード印３０１が予め印刷されたラベルにトレーニングモード印３０１と商品情報とが重ならないように予め定められた印字フォーマットで商品情報を印字させるようにしてもよい。また、上述したように、トレーニングモード印３０１は、実施形態で印字した内容に限らず他の印字形態であってもよく、トレーニングであることが分かるその他の記号や、文字等であってもよい。
【００６５】
なお、上記に説明した制御装置及びプリンタを実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６６】
１…ラベルプリンタ  ２…はかり  ２ａ…ロードセル  ３…印字機構部  ５…操作部  ７…キー操作部  ９ａ…タッチパネル  ９ｂ…液晶表示器（選択手段）  ２０…ＣＰＵ（制御手段）  ２１…ロードセル制御部  ２２…印字制御部  ３０…ＲＡＭ  ２４…操作制御部  ２５…表示制御部  ４０…ＲＯＭ  １００…制御装置  ２０１…品名欄  ２０２…賞味期限欄  ２０３…加工日欄  ２０４…単価欄  ２０５…重量欄  ２０６…バーコード欄  ２０７…値段欄  ２０８…店名住所欄  ３０１…トレーニングモード印  
【図１】
2014136374.tif 000003
【図２】
2014136374.tif 000004
【図３】
2014136374.tif 000005
【図４】
2014136374.tif 000006
【図５】
2014136374.tif 000007
【図６】
2014136374.tif 000008
【図７】
2014136374.tif 000009